(57)【要約】【課題】  自動車教習用の方向転換コースを新大型や新基準の大型二種から現行大型・中型の間で相互に使えるようにした可変式狭路方法およびその装置を提供する。【解決手段】  自動車教習用の方向転換コースの出入口部１００の幅、すみ切り部１０２の半径および方向転換部１０１の奥行きを変更する可変式狭路装置であって、出入口部の片側の路肩部に並べて配設された、複数の路肩体１１前後移動させる複数の路肩体移動装置１と、すみ切り部の半径よりも小さい半径を有し、複数の杭２２を有する杭付きのコーナ部材２１を、すみ切り部の前面に設けられた穴１０６に杭を挿入して固定するコーナ部材打ち付け装置２と、奥行き部に設置された複数のポール３１を前後移動させる奥行きポール移動装置３とを備えた構成。【選択図】        図２
2006323167.tif 000002
【特許請求の範囲】
【請求項１】
自動車教習場または検定試験場の方向転換コースの出入口部の幅を変更する可変式狭路方法であって、
前記出入口部の片側の路肩部に複数の路肩体を配設し、これら複数の路肩体を前方へ押し出すことを特徴とする可変式狭路方法。
【請求項２】
自動車教習場または検定試験場の方向転換コースの方向転換部のすみ切り部の半径および奥行きを変更する可変式狭路方法であって、
予め大きい半径で形成されている前記すみ切り部の前面に、半径の小さい杭付きのコーナ部材を打ち付けて固定するとともに、奥行き部に配設された複数のポールを前方へ押し出すことを特徴とする可変式狭路方法。
【請求項３】
自動車教習場または検定試験場の方向転換コースの出入口部の幅、すみ切り部の半径および方向転換部の奥行きを変更する可変式狭路方法であって、
前記出入口部の片側の路肩部に複数の路肩体を配設し、これら複数の路肩体を前方へ押し出し、さらに予め大きい半径で形成されている前記すみ切り部の前面に、半径の小さい杭付きのコーナ部材を打ち付けて固定するとともに、奥行き部に配設された複数のポールを前方へ押し出すことを特徴とする可変式狭路方法。
【請求項４】
前記方向転換コースに進入する車両の車種を無線方式またはボタン操作による表示にて認識し、認識された車種に応じて、出入口部の幅、すみ切り部の半径および方向転換部の奥行きのいずれか一つ以上を自動的に変更することを特徴とする請求項１乃至３のいずれかに記載の可変式狭路方法。
【請求項５】
自動車教習場または検定試験場の方向転換コースの出入口部の幅を変更する可変式狭路装置であって、
前記出入口部の片側の路肩部に、複数の路肩体を前後移動させる複数の路肩体移動装置を並べて設置してなることを特徴とする可変式狭路装置。
【請求項６】
自動車教習場または検定試験場の方向転換コースのすみ切り部の半径および方向転換部の奥行きを変更する可変式狭路装置であって、
前記すみ切り部の半径よりも小さい半径を有し、複数の杭を有する杭付きのコーナ部材を、前記すみ切り部の前面に設けられた穴に前記杭を挿入して固定するコーナ部材打ち付け装置と、
奥行き部に設置された複数のポールを前後移動させる奥行きポール移動装置と、
を備えたことを特徴とする可変式狭路装置。
【請求項７】
自動車教習場または検定試験場の方向転換コースの出入口部の幅、すみ切り部の半径および方向転換部の奥行きを変更する可変式狭路装置であって、
前記出入口部の片側の路肩部に並べて配設された、複数の路肩体を前後移動させる複数の路肩体移動装置と、
前記すみ切り部の半径よりも小さい半径を有し、複数の杭を有する杭付きのコーナ部材を、前記すみ切り部の前面に設けられた穴に前記杭を挿入して固定するコーナ部材打ち付け装置と、
奥行き部に設置された複数のポールを前後移動させる奥行きポール移動装置と、
を備えたことを特徴とする可変式狭路装置。
【請求項８】
前記方向転換コースに進入する車両の車種を無線方式またはボタン操作による表示にて認識する車種認識装置が設置され、認識された車種に応じて、前記路肩体移動装置、コーナ部材打ち付け装置および奥行きポール移動装置のいずれか一つ以上を駆動する制御手段を備えたことを特徴とする請求項５乃至７のいずれかに記載の可変式狭路装置。
【請求項９】
前記路肩体移動装置は、路肩体と、この路肩体に折り畳み自在または伸縮自在に連結された複数のカバープレートと、前記路肩体を前後移動させる駆動手段とを備えたことを特徴とする請求項５、７または８記載の可変式狭路装置。
【請求項１０】
前記コーナ部材打ち付け装置は、すみきり部の前面に設けられた複数の穴に挿入される複数の杭を下面に植設したコーナ部材と、このコーナ部材が先端部に取り付けられたアームと、このアームを回転駆動する駆動手段とを備えたことを特徴とする請求項６乃至８のいずれかに記載の可変式狭路装置。
【請求項１１】
前記奥行きポール移動装置は、方向転換部の奥行き部に設置された支柱構造体と、この支柱構造体上に前後移動可能に設けられた移動バーと、この移動バーにそれぞればねを介して吊り下げられた複数の奥行きポールとを備えたことを特徴とする請求項６乃至８のいずれかに記載の可変式狭路装置。
【発明の詳細な説明】
【技術分野】
【０００１】
本発明は、自動車教習場（自動車学校を含む）または検定試験場の方向転換コースの幅やすみ切り半径等を変更するようにした可変式狭路方法およびその装置に関する。
【背景技術】
【０００２】
道路交通法の改正により、平成１９年６月から改正法の施行が予定されている。その改正法案によれば、新基準の大型二種、新大型、ならびに、現行大型（一種、二種）、中型（一種、二種）、普通の各免許用の方向転換コースの寸法は図１に示すようになっている。すなわち、新大型の場合は出入口部分の道路幅が、新基準の大型二種・現行大型の５ｍに対し、６ｍに広がっている。また、すみ切り部分の半径が、新基準の大型二種・新大型と現行大型・中型とでは、前者は２．５ｍであるのに対し、後者は１．５ｍと小さくなっている。
【発明の開示】
【発明が解決しようとする課題】
【０００３】
自動車教習所（自動車学校）や検定試験場は、上記改正法の施行に伴い、新基準の大型二種・新大型免許の教習および検定に対する対応が迫られている。しかし、特に大都市周辺では新たな土地や広い土地の確保はきわめて困難である上に、新基準の大型二種・新大型免許の教習・検定に比べれば、従来通りの現行大型や中型免許等の教習・検定のほうが受講者・受験者の数がはるかに多い。そこで、従来の教習コースおよび検定コースを新大型の教習・検定用に対応できるように改造するとともに、新基準の大型二種や現行大型、中型の教習等にも使えるようにコース幅やすみ切り半径等を狭く、あるいは小さくできるように可変式に変更可能にすることが有利であると考えられる。
なお、このようなコース幅等の可変式変更を目的とした従来技術は現時点では発見していない。
【０００４】
そこで、本発明は、自動車教習場または検定試験場の方向転換コースを新大型や新基準の大型二種から現行大型・中型の間で相互に使えるようにした可変式狭路方法およびその装置を提供することを目的とする。
【課題を解決するための手段】
【０００５】
本発明に係る可変式狭路方法は、自動車教習場または検定試験場の方向転換コースの出入口部の幅を変更する可変式狭路方法であって、前記出入口部の片側の路肩部に複数の路肩体を配設し、これら複数の路肩体を前方へ押し出すものである。
これによって、新大型と大型二種（新基準）コースの相互変更が可能になる。
【０００６】
また、本発明に係る可変式狭路方法は、自動車教習場または検定試験場の方向転換コースの方向転換部のすみ切り部の半径および奥行きを変更する可変式狭路方法であって、予め大きい半径で形成されている前記すみ切り部の前面に、半径の小さい杭付きのコーナ部材を打ち付けて固定するとともに、奥行き部に配設された複数のポールを前方へ押し出すものである。
これによって、大型二種（新基準）と現行大型（一種、二種）／中型（一種、二種）コースの相互変更が可能になる。
【０００７】
また、本発明に係る可変式狭路方法は、自動車教習場または検定試験場の方向転換コースの出入口部の幅、すみ切り部の半径および方向転換部の奥行きを変更する可変式狭路方法であって、前記出入口部の片側の路肩部に複数の路肩体を配設し、これら複数の路肩体を前方へ押し出し、さらに予め大きい半径で形成されている前記すみ切り部の前面に、半径の小さい杭付きのコーナ部材を打ち付けて固定するとともに、奥行き部に配設された複数のポールを前方へ押し出すものである。
これによって、新大型／大型二種（新基準）と現行大型（一種、二種）／中型（一種、二種）コースの相互変更が可能になる。
【０００８】
また、本発明の可変式狭路方法では、前記方向転換コースに進入する車両の車種を無線方式またはボタン操作による表示にて認識し、認識された車種に応じて、出入口部の幅、すみ切り部の半径および方向転換部の奥行きのいずれか一つ以上を自動的に変更するものである。
これにより、方向転換コースに進入する車両の車種を認識することで、出入口部の幅、すみ切り部の半径および方向転換部の奥行きのいずれか一つ以上を遠隔操作で自動的に変更することができ、当該車種に応じた方向転換コースを設定することができる。
【０００９】
本発明に係る可変式狭路装置は、自動車教習場または検定試験場の方向転換コースの出入口部の幅を変更する可変式狭路装置であって、前記出入口部の片側の路肩部に、複数の路肩体を前後移動させる複数の路肩体移動装置を並べて設置してなるものである。
【００１０】
このように出入口部の片側の路肩部に複数の路肩体移動装置を並べて設置することにより、路肩体を前進させれば出入口部の幅が狭くなり、路肩体を後退させれば出入口部の幅が広がるので、新大型と大型二種（新基準）コースの相互変更が可能になる。
【００１１】
また、本発明に係る可変式狭路装置は、自動車教習場または検定試験場の方向転換コースのすみ切り部の半径および方向転換部の奥行きを変更する可変式狭路装置であって、前記すみ切り部の半径よりも小さい半径を有し、複数の杭を有する杭付きのコーナ部材を、前記すみ切り部の前面に設けられた穴に前記杭を挿入して固定するコーナ部材打ち付け装置と、奥行き部に設置された複数のポールを前後移動させる奥行きポール移動装置とを備えたものである。
【００１２】
コーナ部材打ち付け装置により、杭付きのコーナ部材をすみ切り部の前面に打ち付けて固定すれば、すみ切り半径が小さくなり、杭付きのコーナ部材を後方に倒せば、すみ切り半径が大きくなる。また、奥行きポール移動装置により、ポールを前進させれば奥行きが短くなり、後退させれば奥行きが大きくなるので、大型二種（新基準）と現行大型（一種、二種）／中型（一種、二種）コースの相互変更が可能になる。
【００１３】
また、本発明に係る可変式狭路装置は、自動車教習場または検定試験場の方向転換コースの出入口部の幅、すみ切り部の半径および方向転換部の奥行きを変更する可変式狭路装置であって、前記出入口部の片側の路肩部に並べて配設された、複数の路肩体を前後移動させる複数の路肩体移動装置と、前記すみ切り部の半径よりも小さい半径を有し、複数の杭を有する杭付きのコーナ部材を、前記すみ切り部の前面に設けられた穴に前記杭を挿入して固定するコーナ部材打ち付け装置と、奥行き部に設置された複数のポールを前後移動させる奥行きポール移動装置とを備えたものである。
【００１４】
この構成によれば、出入口部の幅、すみ切り半径、および奥行きの変更が可能なので、新大型／大型二種（新基準）と現行大型（一種、二種）／中型（一種、二種）コースの相互変更が可能になる。
【００１５】
また、本発明に係る可変式狭路装置では、前記方向転換コースに進入する車両の車種を無線方式またはボタン操作による表示にて認識する車種認識装置が設置され、認識された車種に応じて、前記路肩体移動装置、コーナ部材打ち付け装置および奥行きポール移動装置のいずれか一つ以上を駆動する制御手段を備えたものとするものである。
【００１６】
車種認識装置は、例えばＩＣタグ受信機や操作ボタンを設けることにより方向転換コースに進入する車両の車種を無線方式またはボタン操作による表示にて認識することができる。そして、認識された車種に応じて、制御手段により路肩体移動装置、コーナ部材打ち付け装置および奥行きポール移動装置のいずれか一つ以上を駆動することで、当該車種に応じた方向転換コースを設定することができる。
【００１７】
また、前記路肩体移動装置は、路肩体と、この路肩体に折り畳み自在または伸縮自在に連結された複数のカバープレートと、前記路肩体を前後移動させる駆動手段とを備えたものである。
路肩体は、例えばチェッカープレートのような強度部材で構成されるので、これらの路肩体を並べて設置し、前後移動可能にすることにより、出入口部の幅を簡単に変更することができる。また、路肩体上に大型車両が乗っても変形等を生じることなく強固に支持することができる。
【００１８】
また、前記コーナ部材打ち付け装置は、すみきり部の前面に設けられた複数の穴に挿入される複数の杭を下面に植設したコーナ部材と、このコーナ部材が先端部に取り付けられたアームと、このアームを回転駆動する駆動手段とを備えたものである。
これにより、コーナ部材をすみきり部の前面に強固に固定することができ、大型車両が乗りかかってもこじられたりずれたりすることがなく、すみきり半径を間単に変更することができる。
【００１９】
また、前記奥行きポール移動装置は、方向転換部の奥行き部に設置された支柱構造体と、この支柱構造体上に前後移動可能に設けられた移動バーと、この移動バーにそれぞればねを介して吊り下げられた複数の奥行きポールとを備えたものである。
複数の奥行きポールがそれぞればねを介して吊り下げられた移動バーを前後移動させることで、方向転換部の奥行きを間単に変更することができる。
【発明の効果】
【００２０】
本発明によれば、方向転換コースを新大型用の寸法に合わせて形成しておき、出入口部の片側の路肩部に複数の路肩体移動装置を並べて設置し、またすみ切り部にはコーナ部材打ち付け装置を、奥行き部には奥行きポール移動装置を設置することで、新大型／大型二種（新基準）や現行大型（一種、二種）／中型（一種、二種）コースの相互変換が可能となり、将来の道路交通法の改正に対応することができるとともに、設備投資を低減することができる。
【発明を実施するための最良の形態】
【００２１】
以下、本発明の実施の形態を図面に基づいて説明する。
【００２２】
図２は新大型／大型二種（新基準）の場合の方向転換コースにおける可変式狭路装置の概略平面図、図３は現行大型／中型の場合の方向転換コースにおける可変式狭路装置の概略平面図である。
方向転換コースは、直線道路の出入口部１００に対して方向転換部１０１が直角に交わってＴ字型に形成されており、すみ切り部１０２には円弧状の半径（すみ切り半径）が形成されている。そして、方向転換コースの路肩は、出入口部１００の片側を除き、一般にコンクリート製の縁石で路面から１０ｃｍ程度高くなるように形成されている。
本発明では、新大型と大型二種（新基準）免許の教習に対応できるように、予め方向転換コースの寸法を図１に示すように「新大型」に合わせて大きく形成しておき、現行大型と中型免許の教習および検定の場合には、出入口部１００の幅、すみ切り半径、および方向転換部１０１の奥行きをそれぞれ縮小方向に変更するものである。
【００２３】
そこで、本実施形態では、出入口部１００の片側の路肩部に、縁石に代えて複数の路肩体移動装置１を並べて設置し、すみ切り部１０２にはコーナ部材打ち付け装置２を設置し、方向転換部１０１の奥行き部には奥行きポール移動装置３を設置して構成されている。なお、奥行きの変更については、構造を簡単にするため、複数の奥行きポールをいっぺんに前方に移動させることで対応させている。
【００２４】
また、方向転換コースに進入する車両の車種を無線方式で認識する車種認識装置４として、例えばＩＣタグ受信機が設置され、さらにこのＩＣタグ受信機により認識された車種に応じて、色別に車種を表示する車種表示灯５が設置されている。そしてさらに、認識された車種に応じて、路肩体移動装置１を制御する制御盤６、あるいはコーナ部材打ち付け装置２や奥行きポール移動装置３等を制御する制御盤７が設置されている。また、これらの装置１〜３の動作範囲内に人が立ち入らないように安全柵や安全センサからなる安全装置８ａ、８ｂが設置されている。なお、９は方向転換部１０１の側方に並べて設けられた側方ポールである。
【００２５】
路肩体移動装置１は、出入口部１００の片側の縁石のない路肩部に複数並べて設置されており、図２では全部の路肩体移動装置１の路肩体１１が所定の位置に後退している。そのため出入口部１００の幅は新大型と大型二種（新基準）に対応するよう６ｍに広がっている。一方、図３では全部の路肩体移動装置１の路肩体１１が前方へ１ｍだけ押し出されているので、現行大型と中型に対応するよう出入口幅が５ｍに狭まっている。
【００２６】
コーナ部材打ち付け装置２は、図２ではすみ切り半径が１．５ｍと小さい半径で形成された杭付きのコーナ部材２１が後方に倒れており、したがって新大型と大型二種（新基準）に対応するよう、予めすみ切り部１０２の半径が２．５ｍに形成されている。一方、図３では上記コーナ部材２１を回動して、すみ切り部１０２の前面に打ち付けて固定しているので、現行大型と中型に対応するよう、すみ切り半径が１．５ｍと小さくなっている。
【００２７】
奥行きポール移動装置３は、図２では奥行きポール３１が所定の位置に後退しており、そのため奥行きは新大型と大型二種（新基準）に対応するよう１０ｍと長くなっている。一方、図３では奥行きポール３１が前進しているので、現行大型と中型に対応するよう奥行きは８ｍと短くなっている。
【００２８】
以下、上記の各装置の構成について詳細に説明する。
【００２９】
（１）路肩体移動装置の構成
図４は路肩体移動装置の平面図で、路肩体の前進時を示す拡大平面図である。図５は路肩体移動装置の正面図で、一部拡大図を併記してある。図６は路肩体の後退時（ａ）と前進時（ｂ）を示す路肩体移動装置の側面図で、一部拡大図を併記してある。
路肩体移動装置１は、片側の出入口路肩部の全長（図１のＡ２＋２Ｃ＝２０ｍ）をほぼ等分割して構成されたユニット装置となっている。ここでは幅が２ｍずつの１０基の路肩体移動装置１で構成されている。
【００３０】
各路肩体移動装置１は、鋼製プレートにより形成された路肩体１１と、この路肩体１１に、例えば山形状に折り畳み自在に連結された複数のカバープレート１２とから構成されている。路肩体１１は、例えばチェッカープレートにより箱形に構成され、大型車両が乗っても変形や破損等が生じないように十分な強度を有する強度部材および支持構造で支持されている。カバープレート１２は、例えばメッシュプレートからなり、路肩体１１の前進により生じる空所を覆うために設けられる。なお、各カバープレート１２は、側板１３を有するように形成されているが、両端部に位置する路肩体移動装置１のカバープレート１２にのみ、外側に側板１３を有するように形成してもよい。また、路肩体１１は、路面からの表面の高さが１０ｃｍとなるように複数のガイドレール１４上に複数の車輪１５を介して支持されている。ガイドレール１４は、山形部材をレール基礎１０４で支持してなり、縁石境界線１０５より道路側に１ｍ程度入るように延ばして設置されている。そして、この路肩体１１を道路側に押し出すために、例えば電動シリンダ１６のロッド１７が路肩体１１に連結されている。路肩体１１の後端部には折り畳み自在なカバープレート１２がヒンジ１８により接続されている。なお、１９は電動シリンダ１６の保護カバーである。また、路肩体１１とカバープレート１２は引き出し式に伸縮自在な構成としてもよい。
【００３１】
（２）コーナ部材打ち付け装置の構成
図７はコーナ部材打ち付け装置の平面図で、コーナ部材打ち付け時の状態を示す拡大平面図である。図８はコーナ部材打ち付け装置の正面図、図９はコーナ部材打ち付け装置の側面図である。
コーナ部材打ち付け装置２は、下面に複数の杭２２が植設されたコーナ部材２１をアーム２３を介して減速機付き駆動モータ２４により回動し、すみ切り部１０２の前面に設けられた穴（杭の挿入穴）１０６に杭２２を挿入してコーナ部材２１を固定するようになっている。コーナ部材２１は、これを打ち付けて固定したとき、出入口部１００と方向転換部１０１とが直角に交わるコーナ部の範囲内ですみ切り半径が１．５ｍとなるように小さい曲率半径でつくられており、すみ切り部１０２は予め縁石部のすみ切り半径が２．５ｍとなるように形成されている。そして、杭２２付きのコーナ部材２１を打ち付けたとき、これらの挿入穴１０６にそれぞれ杭２２が挿入され、すみ切り部１０２の前面にコーナ部材２１が強固に固定されるようになっている。これによって、すみ切り半径を２．５ｍから１．５ｍに変更することができる。
また、コーナ部材２１は、通常、１８０゜反転した状態になっており、そのため杭２２が上向きとなるため、これをカバーするための保護カバー２５が設けられている。この保護カバー２５はカバー用駆動装置２６により回転され、上向きの杭２２付きコーナ部材２１を覆うようになっている。
【００３２】
（３）奥行きポール移動装置の構成
図１０は奥行きポール移動装置の平面図で、奥行きポール前進時の状態を示す拡大平面図である。図１１は奥行きポール移動装置の正面図、図１２は奥行きポール移動装置の側面図、図１３は図１０のＡ部の拡大図、図１４は図１１のＢ部の拡大図、図１５は図１２のＣ部の拡大図である。
奥行きポール移動装置３は、方向転換部１０１の奥行き部に立設された支柱構造体３０と、複数本の奥行きポール３１がそれぞればね３２を介して吊り下げられた移動バー３３と、移動バー２３を支柱構造体３０のレール３４上でトロリー３５を介して前後方向に移動させる減速機付きの駆動モータ３６とから主として構成されている。トロリー３５にはチェーン３７が連結されており、駆動モータ３６によりチェーンホイール３８を回転させることにより複数本の奥行きポール３１が吊り下げられた移動バー３３を支柱構造体３０のレール３４上を前進または後退させることができる。なお、３９は減速機付き駆動モータ３６により駆動される回転軸で、その両端部にそれぞれチェーンホイール３８を介してトロリー３５に連結されたチェーン３７が前後方向に設けられている。
したがって、移動バー３３および奥行きポール３１の前進時には、方向転換部１０１の入口から奥行きポール３１までの奥行きが８ｍとなり、後退時には１０ｍとなる。
【００３３】
図１６は車種表示灯と制御盤を示す正面図である。
車種表示灯５は、上部に回転灯５１が設けられ、その下部に車種毎に色分けされる表示灯５２、５３、５４が設けられている。回転灯５１は、例えば赤色を表示して回転するようになっている。表示灯５２は、例えば新基準の大型二種をあらわす青色を表示する。表示灯５３は、例えば新大型をあらわす赤色を表示する。表示灯５４は、例えば現行大型と中型をあらわす緑色を表示する。
車種認識装置４のＩＣタグ受信機が方向転換コースに進入してくる車両の車種を認識すると、認識された車種に応じて、車種表示灯５が上記のように色別に表示するとともに、制御盤６、７が前述の路肩体移動装置１やコーナ部材打ち付け装置２、あるいは奥行きポール移動装置３を自動的に動作させるようになっている。なお、制御盤６、７は一つの制御手段として構成してもよい。
したがって、車両の運転席から当該車両の車種に応じて、遠隔操作で方向転換コースの設定を行うことができる。なお、表示灯５２、５３、５４は方向転換コースの入口付近に設置された操作ボタン（図示せず）を教官が運転席から降りて操作するようにしてもよい。
【００３４】
上記のように構成された狭路装置の動作について説明する。
【００３５】
（１）新大型／大型二種（新基準）の場合
新大型と大型二種（新基準）の間では、路肩体移動装置１のみを動作させる。他のコーナ部材打ち付け装置２と奥行きポール移動装置３は動作させず、すみ切り半径は２．５ｍ、奥行きは１０ｍのままにしておく（図２参照）。
新大型コースの場合は、図２に示すように、路肩体移動装置１は全て動作させず、全ての路肩体１１を後退しておく。したがって、出入口部１００の幅は６ｍとなっている。
大型二種（新基準）コースの場合は、図３に示すように、各路肩体移動装置１を順次動作させ、全ての路肩体１１を電動シリンダ１５により１ｍだけ道路側に前進させる。したがって、出入口部１００の幅を５ｍへ狭く変更することができる。このとき、路肩体１１の後部に連結されたカバープレート１２は平面状に展開されて路肩体１１の前進によって生じる空所を覆っている。
また、路肩体１１はチェッカープレートにより構成され、複数の車輪１４を介してレール基礎１０４により基礎打ちされた複数のガイドレール１３上に支持されているので、大型車両が路肩体１１上に乗っても路肩体１１がこじられるようなことはなく変形や破損等を生じることはない。
この路肩体移動装置１により、新大型と新基準の大型二種コース用に相互に出入口部１００の幅を変更することができる。
【００３６】
（２）新大型／大型二種（新基準）と現行大型／中型の場合
この場合は、路肩体移動装置１、コーナ部材打ち付け装置２、奥行きポール移動装置３の全部を動作させる。但し、大型二種（新基準）と現行大型／中型の場合の場合は、コーナ部材打ち付け装置２と奥行きポール移動装置３のみを動作させればよい。
路肩体移動装置１の動作は前述のとおりである。コーナ部材打ち付け装置２は、杭２２付きのコーナ部材２１を減速機付き駆動モータ２４によりアーム２３を回動して、すみ切り部１０２の前面に打ち付けて固定する。このとき、コーナ部材２１の下面に植設された杭２２がすみ切り部１０２の前面に設けられた穴１０６に挿入されるので、コーナ部材２１を強固に固定することができる。そのため、大型車両がこのコーナ部材２１に乗りかかっても、コーナ部材２１は複数の杭２２で強固に固定されているので、こじられたりずれたりするようなことはない。
【００３７】
コーナ部材２１は、すみ切り半径が１．５ｍとなるように形成されているので、このコーナ部材２１を予め２．５ｍのすみ切り半径で形成されているすみ切り部１０２の前面に固定することにより、新大型／大型二種（新基準）から現行大型／中型コース用にすみ切り半径を小さく変更することができる。
【００３８】
奥行きポール移動装置３は、複数本の奥行きポール３１がそれぞればね３２を介して移動バー３３に吊り下げられているので、この移動バー３３を支柱構造体３０のレール３４上で２ｍだけ前進させることにより方向転換部１０１の奥行きが８ｍとなり、新大型／大型二種（新基準）から現行大型／中型コース用に奥行きを短く変更することができる。
【図面の簡単な説明】
【００３９】
【図１】方向転換コースの寸法図。
【図２】新大型と大型二種（新基準）の場合の方向転換コースにおける可変式狭路装置の概略平面図。
【図３】現行大型と中型の場合の方向転換コースにおける可変式狭路装置の概略平面図。
【図４】路肩体移動装置の平面図。
【図５】路肩体移動装置を一部拡大図とともに示す正面図。
【図６】路肩体の前進時と後退時を一部拡大図とともに示す路肩体移動装置の側面図。
【図７】コーナ部材打ち付け装置の平面図。
【図８】コーナ部材打ち付け装置の正面図。
【図９】コーナ部材打ち付け装置の側面図。
【図１０】奥行きポール移動装置の平面図。
【図１１】奥行きポール移動装置の正面図。
【図１２】奥行きポール移動装置の側面図。
【図１３】図１０のＡ部の拡大図。
【図１４】図１１のＢ部の拡大図。
【図１５】図１２のＣ部の拡大図。
【図１６】車種表示灯と制御盤を示す正面図。
【符号の説明】
【００４０】
１  路肩体移動装置
２  コーナ部材打ち付け装置
３  奥行きポール移動装置
４  車種認識装置
５  車種表示灯
６、７  制御盤
８ａ、８ｂ  安全装置
９  側方ポール
１１  路肩体
１２  カバープレート
１３  側板
１４  ガイドレール
１５  車輪
１６  電動シリンダ
１７  ロッド
１８  ヒンジ
１９  保護カバー
２１  コーナ部材
２２  杭
２３  アーム
２４  減速機付き駆動モータ
２５  保護カバー
２６  カバー用駆動装置
３０  支柱構造体
３１  奥行きポール
３２  ばね
３３  移動バー
３４  レール
３５  トロリー
３６  減速機付き駆動モータ
３７  チェーン
３８  チェーンホイール
３９  回転軸
５１  回転灯
５２、５３、５４  表示灯
１００  出入口部
１０１  方向転換部
１０２  すみ切り部
１０４  レール基礎
１０５  縁石境界線
１０６  杭の挿入穴
【図１】
2006323167.tif 000003
【図２】
2006323167.tif 000004
【図３】
2006323167.tif 000005
【図４】
2006323167.tif 000006
【図５】
2006323167.tif 000007
【図６】
2006323167.tif 000008
【図７】
2006323167.tif 000009
【図８】
2006323167.tif 000010
【図９】
2006323167.tif 000011
【図１０】
2006323167.tif 000012
【図１１】
2006323167.tif 000013
【図１２】
2006323167.tif 000014
【図１３】
2006323167.tif 000015
【図１４】
2006323167.tif 000016
【図１５】
2006323167.tif 000017
【図１６】
2006323167.tif 000018